(57)【要約】      （修正有）【課題】口や鼻を覆うマスクの顔面への密着度を調整し、以て該マスクと顔面との間に生じる隙間を減じるマスク密着度調整具を提供する。【解決手段】紐ないし鎖ないしストラップ２の両端２’’に人の手の力で互いに連結または分離する留め具（雄）６と留め具（雌）７を設け、且つ該両端の各々から該紐ないし鎖ないしストラップ上で等距離の位置を折り目として該紐ないし鎖ないしストラップを折り曲げて２本にし、さらに該折り目を先頭にして環状または中空の摺動装置５の内孔を通り抜けさせ、しかる後に該折り目の部分にストッパー４を固定すると共に該ストッパーの外径を該摺動装置の内径より大きくし、該摺動装置は該内孔が単に中空であるだけの単純なもの若しくは該摺動装置の片側側面に設けた中孔、該中孔の中に埋め込んだボタン３、該ボタンの先端に固定したコイルバネ、及び該ボタン上の互いに向き合う２つの側面を貫通する小孔より構成する。【選択図】図３
0003147462.tif 000002
【実用新案登録請求の範囲】
【請求項１】
紐ないし鎖ないしストラップの両端に人の手の力で互いに連結または分離する留め具（雄）と留め具（雌）を設けた。又、前記両端の各々から前記紐ないし鎖ないしストラップ上で等距離の位置を折り目とし、該折り目で該紐ないし鎖ないしストラップを折り曲げて２本にし、さらに該折り目を先頭にして環状または中空の摺動装置の内孔を通り抜けさせた。しかる後、前記折り目の部分にストッパーを固定し、且つ該ストッパーの外径を前記摺動装置の内径より大きくした。なお前記摺動装置の構造は、単に中空でそこを通る前記紐ないし鎖ないしストラップが自重では抜け落ちないが人の手の力により摺動しながら容易に引き抜かれる程度に前記内孔の径を狭めただけのもの又は、該摺動装置の側面に中孔を設け、そこにコイルバネを先端に固定したボタンを埋め込み、該コイルバネの反発力、該ボタンの互いに向き合う側面と側面を貫通する小孔、該小孔をスムーズに通る該紐ないし鎖ないしストラップ、及び前記内孔との関係を利用して摺動の制御を行う仕組のいづれかの方式より成るものとした。以上の要件を具備したことを特徴とするマスク密着度調整具。
【請求項２】
マスクの耳掛け紐に係合もしくは係止するフック等の装置ないし留め具により前記留め具（雄）と留め具（雌）の各々を置換えたことを特徴とする請求項１のマスク密着度調整具。
【考案の詳細な説明】
【技術分野】
【０００１】本考案は風邪・流感その他の病気の感染防止のために口や鼻を覆うマスクの、顔面への密着度を調整し、以て該マスクと顔面との間に生じる隙間を減じる、マスク密着度調整具に関するものである。
【背景技術】
【０００２】市販のマスクは既製品のため使用者の顔に完全にフィットする事は稀で、マスクと顔面との間に隙間が出来てそこから飛沫やウイルスが侵入してしまった。そこでマスクを顔面に固定するために耳や頭に掛ける紐の張力を加減することでマスクと顔面との密着度を調節し、以て前記隙間をなくし問題の解決を図ったものに特開平０７−１８５０２７や特開平１１−２０６８９６がある。
【考案の開示】
【考案が解決しようとする課題】
【０００３】特開平０７−１８５０２７及び特開平１１−２０６８９６において、前記紐の張力を調節するための機構はマスク機能の一部である左右の耳掛け紐の“双方”に設ける事を要件とした。なぜなら例えば右側だけに該調節機構を設けて右側の耳掛け紐の張力だけ増した場合、マスクが顔の右側に引き寄せられて顔面に適切に装着されなくなり、マスクと顔面との接触面に新たな隙間を生じて反って逆効果となるからである。【０００４】その不具合を防止するため、製造段階において“左右双方”の耳掛け紐に前記調節機構を設けると共に、マスク使用者は使用時に該耳掛け紐の張力調節を左右二箇所で行い、さらに一方の調節のみが片効きしてマスクが左右の中心からズレる事がないよう２つの該耳掛け紐の張力バランスを均等化させる手間があった。【０００５】又、一般的にマスク着用中でも食事時や水分補給時、薬の頓服時など、マスクを脱がなければならない事は多く、一方用事が済めば再び着用することになる。その際、マスクの密着度を高めて使用している者は、脱ぐ時に前記紐の張力を緩め、再着用時は張力を強めるという風に着脱の度に該紐の張力調節が必要となる。［０００４］記載の従来技術の手間はこの反復作業ゆえになお一層増した。【０００６】さらに該従来技術では前記調節機構をマスクに予め付随したものとして提供したため、使用者が該機能を必要とするか否かに関わらず常にマスクの製造において該機能実装のための工程と費用を要し、そのコスト負担ゆえに該調節機構を有しないマスクに比べ市販価格が著しく高くなる欠点もあった。これは該調節機構の不要な使用者にとっては全く意味のない出費であり、また地球環境保全の点からも無用な廃棄物と資源の浪費を助長した。
【課題を解決するための手段】
【０００７】本考案をマスクから独立した補助具とした。そして、マスクの左右一対の耳掛け紐に使用者の後頭部の位置でストラップを係合または絡ませた。さらに、該係合関係と該ストラップの長さ調節により左右の該耳掛け紐を互いに引寄せ合うようにして引っ張り、以て該耳掛け紐の張力を増し且つその状態が保持されることを可能とする機構と、増幅させた張力を元に戻す機構を設けてマスクの顔面への密着度の調整を一箇所で行った。
【考案の効果】
【０００８】一か所の操作だけで左右の耳掛け紐の張力調節が可能となった事で調節作業工数の減少と操作性が格段に向上（左右の張力バランス調整が不要）した。又、従来技術ではマスクの廃棄に伴い耳掛け紐の張力調節機構も一緒に廃棄されたが、本考案により該調節機構については廃棄の必要がなくなったので廃棄物削減と資源の節約の双方に寄与した。さらに、マスク本体としては該調節機構の製造が不要になった事で（マスク本体の）コスト削減並びに市販価格の低減にも貢献した。【０００９】一方、該調節機構を有しないマスクと本考案を組み合わせた場合の該調節機構の部分に対する使用者の出費は本考案の実施例１個分のみで済むのに対し、従来技術の場合はマスクの価格に転嫁された該調節機構の部材コストと加工コストをマスクの使用量に掛け合わせたものになるためマスクを使用すればするほどムダな出費が増えた。
【実施例】
【００１０】図４は本考案の第一実施例であり且つ［請求項１］記載の構造を示す斜視図である。まず１本のストラップ２−２”−２’を内部で互いに合流する２つの孔を有するストッパー４の該孔に通し、さらにストッパー４をストラップ２−２”−２’伝いに移動させてストラップ２−２”−２’の両端から同一距離の位置に来たところで固定した。【００１１】次にストラップ２−２”−２’のうちストッパー４とは反対側の端、即ち図４におけるストラップ２及び２’の２本の先端部を束ねて中空の摺動装置５の内部空間である大孔に通した。又、摺動装置５の側面から該大孔に達し且つ垂直に交わる中孔を別に設け、そこにボタン３を埋め込んだ（図４）。ボタン３の先にはコイルバネ９を固定しておき、ボタン３を該大孔内部に押し込むとコイルバネ９が該大孔の壁面に押し付けられて反発しボタン３を押し返す機構とした（図４）。【００１２】又、ボタン３の側面に小孔を貫通させ、［００１１］で記述した前記大孔を通るストラップ２−２”−２’の２本の先端部を該大孔の中で該小孔にも通した（図４）。なお、ボタン３が前記中孔に深く押し込まれた時に該小孔が該大孔の中心にあるようにする一方、ボタン３がコイルバネ９の反発に任せて押し戻された状態では該小孔が該大孔の外に出るようにしたので、ストラップ２−２”−２’はボタン３が深く押し込まれた時に該小孔および該大穴の内部をスムーズに摺動した。一方、コイルバネ９の反発に任せてボタン３が押し戻されると該小孔の位置が該大孔の外側に出ようとするのでストラップ２”が該大孔の壁面に押し付けられ、摺動が制御されて摺動装置５に固定された。【００１３】次に、図４が示すようにストラップ２−２”−２’のうち摺動装置５の外に出た２本の紐状部分の一方の端に留め具（雄）６、他方の端に留め具（雌）７を固定した。又、留め具（雄）６の先端に凸型の突起物１０を、留め具（雌）７の内側に凹型の穴１１を設けた。穴１１の入口の内径は突起物１０の外径より小さいが該入口に弾性体を用い、且つ穴１１の深部に突起物１０を収容する空間を設けたので、力を掛けて押し込めば突起物１０は穴１１に収まり固定された。なお、以上により固定された留め具（雄）６と留め具（雌）７は適度な手の力で引き離せば分離するようにした。【００１４】以上の構造を成した状態で摺動装置５を片手で持ち、ボタン３をその指で押し込んだままストッパー４を他方の手で掴んで引っ張ればストッパー４に固定されたストラップ２−２”−２’は摺動しながらストッパー４側に引き出され、それと共にストラップ２−２”−２’のうち留め具（雄）６又は留め具（雌）７側の部分が短くなった。図２はストッパー４を引っ張る前の状態、図１は引っ張った後の状態（両図共に手指の表示は略した）を示し、共に使用者の後頭部から見た正面図である。いづれの図も留め具（雄）６及び留め具（雌）７を左右の耳掛け紐１及び１’に各々鎖状に係合させた後、互いに連結して固定しストラップ２−２’による輪を形成した状態を示す。図１が示すようにストッパー４が引っ張られた状態では該輪の大きさが小さくなり、同時にストラップ２及び２’に係合した左右の耳掛け紐１及び１’は摺動装置５に向けて引き寄せられた。図３はその態様をマスク着用者の左側面から見たもので、耳掛け紐１及び１’の張力が強まりマスク８と顔面との密着度が高まる様子を示す。【００１５】耳掛け紐１及び１’の張力を弱めて図２の状態に戻すにはボタン３を押し込んだ状態で摺動装置５を下方等の向きに引っ張ればよい。ボタン３を押し込んだ事により摺動装置５はストラップ２−２”−２’との間で摺動し安くなっているため容易に下降し、ストラップ２−２’により形成された［００１４］記載の輪が広がり耳掛け紐１及び１’の張力が弱まって再び図２の状態に戻った。【００１６】なお、この方式によれば単一の摺動装置５の操作で耳掛け紐１及び１’の張力の強弱が同時且つ均等に加減されるので左右の張力バランスの調整を必要とせず、マスクの着脱を繰り返す際の苦労も解消した。以上で第一実施例の説明を終わる。【００１７】次に本考案の第二実施例であり且つ［請求項１］における摺動装置の他の技術態様として、第一実施例の図４の摺動装置５からボタン３とコイルバネ９及び［００１１］記載の中孔を除去し且つ［００１１］記載の大孔の内部空間の径を狭めてストラップ２−２”−２’と摺動させる構造にしたもの。又、第三実施例であり且つ［請求項２］の技術態様として、第一実施例ないし第二実施例の留め具（雄）６及び留め具（雌）７から突起物１０や穴１１のような互いに連結させるための雌雄の構造を除き、代わりに同一形状のフック型留め具１２及び１２’に替えて左右の耳掛け紐１及び１’にそれぞれ係止ないし固定して使うようにしたもの、以上２つの他の考案も提供した。なお、図５は第二実施例及び第三実施例の特徴を同時に設けた場合の態様を示す図である。【００１８】最後に補足として、本明細書添付の全ての図面において、人の手指の図示を便宜上省略した事を付記しておく。
【図面の簡単な説明】
【００１９】
【図１】  本考案の第一実施例であり請求項１の具体例を示す。耳掛け紐１及び１’の張力を強めた状態を、使用者の後頭部の側から見た態様を示す正面図。
【図２】  前記図１の第一実施例の非稼働状態、または稼働状態で耳掛け紐１及び１’の張力を緩めた状態を使用者の後頭部の側から見た態様を示す正面図。
【図３】  図１の状態を使用者の左側面から見た態様を示す側面図。
【図４】  図１の第一実施例のストラップ２−２”−２’、ストッパー４、摺動装置５、留め具（雄）６及び留め具（雌）７等の部分を拡大した斜視図。
【図５】  本考案の第二実施例及び第三実施例の特徴を同時に設けた場合の態様を示す図。又、本考案の非稼働状態、または稼働状態で耳掛け紐１及び１’の張力を緩めた状態を使用者の後頭部の側から見た態様を示す正面図。
【符号の説明】
【００２０】    １  耳掛け紐。左右一対ある事を基本とする。１’は対をなす他方。
２  ストラップ。２’及び２”は同じものの別の部位。
３  ボタン。側面に貫通する小孔を有し、その内部空間にストラップ２−２”−２’を通す。又、先端にコイルバネ９を固定した。
４  ストッパー。
５  摺動装置。［００１１］記載の大孔、中孔、コイルバネ９、及びボタン３の各々を構成要素として含む。又、大孔にストラップ２−２”−２’を通す。
６  留め具（雄）。
７  留め具（雌）
８  マスク。
９  コイルバネ。
１０  突起物。留め具（雄）６の一部を成す。
１１  穴。留め具（雌）７の一部を成す。
１２  フック型留め具。１２’は一対の他方を示す。
【図１】
0003147462.tif 000003
【図２】
0003147462.tif 000004
【図３】
0003147462.tif 000005
【図４】
0003147462.tif 000006
【図５】
0003147462.tif 000007
【手続補正書】
【提出日】平成20年9月26日(2008.9.26)
【手続補正１】
【補正対象書類名】実用新案登録請求の範囲
【補正対象項目名】請求項１
【補正方法】変更
【補正の内容】
【請求項１】
紐ないし鎖ないしストラップの両端に人の手の力で互いに連結または分離する留め具（雄）と留め具（雌）を設け、且つ該両端の各々から該紐ないし鎖ないしストラップ上で等距離の位置を折り目として該紐ないし鎖ないしストラップを折り曲げて２本にし、さらに該折り目を先頭にして環状または中空の摺動装置の内孔を通り抜けさせ、しかる後に該折り目の部分にストッパーを固定すると共に該ストッパーの外径を該摺動装置の内径より大きくし、該摺動装置は該内孔が単に中空であるだけの単純なもの若しくは該摺動装置の片側側面に設けた中孔、該中孔の中に埋め込んだボタン、該ボタンの先端に固定したコイルバネ、及び該ボタン上の互いに向き合う２つの側面を貫通する小孔より成る摺動制御機構であることを特徴とするマスク密着度調整具。